(57)【要約】      （修正有）【課題】液体、気体、等の流体の流動、流れを目視確認することができ、構造がシンプルであり、安価であり、天地・縦横の配置・向きを限定しない、等の簡易型の流量インジケータを提供する。【解決手段】外筒管７、該外筒管の内部に回転体６及び該外筒管の両端にワンタッチ継ぎ手機構１，１０を有し、該回転体に単色または複数色の認識マーク１１を付けたものであり、簡易型の流量インジケータである。【選択図】  図１
2004251793.tif 000002
【特許請求の範囲】
【請求項１】
外筒管、該外筒管の内部に回転体及び該外筒管の両端にワンタッチ継ぎ手機構を有し、該回転体に単色または複数色の認識マークを付けたことを特徴とする流量インジケータ。
【請求項２】
回転体並びに回転軸板及び／または回転羽根車が固着し、軸受け板または軸受けに支えられていることを特徴とする請求項１に記載の流量インジケータ。
【請求項３】
回転体及び回転軸板が固着し、該回転体の内面及び／または外面に略螺旋状の突起を形成したことを特徴とする請求項１に記載の流量インジケータ。
【請求項４】
回転体が中心軸棒に支えられていることを特徴とする請求項１に記載の流量インジケータ。
【請求項５】
両端に回転軸及び外周部に略螺旋状の突起を一体形成した回転体であることを特徴とする請求項１に記載の流量インジケータ。
【発明の詳細な説明】
【０００１】
【発明の属する技術分野】
本発明は、配送管内の流体の流動を確認するための流量インジケータに関するものである。
【０００２】
【従来技術】
従来において、流体が配送管内を流動していることを確認するためには、容積流量計、面積流量計、差圧流量計、タービン流量計、渦流量計、超音波流量計、電磁流量計、等々の各種流量計に因るところが主であった。
【０００３】
【発明が解決しようとする課題】
各種流量計は、流体の流量を定量的に測定することが目的であるために構造が複雑であり、高価であり、設置・配置方向が限定される、等の問題がある。流体の流量を定量表示しないものの流体の流動を確認することができ、構造がシンプルであり、安価であり、天地・縦横の配置・向きを限定しない、等の問題を解決した流量インジケータを提供することである。
【０００４】
【課題を解決するための手段】
外筒管、該外筒管の内部に回転体及び該外筒管の両端にワンタッチ継ぎ手機構を有し、該回転体に単色または複数色の認識マークを付けた流量インジケータであり、構造がシンプルであり、安価であり、天地・縦横の配置・向きを限定しない、等の問題を解決した流量インジケータを提供することができる。
【０００５】
本発明に係る流量インジケータは、外筒管、該外筒管の内部に回転体及び該外筒管の両端にワンタッチ継ぎ手機構を有し、該回転体に単色または複数色の認識マークを付けたものであり、液体、気体の流れを該回転体の回転として目視確認することができるようにしたものである。特に、透明な気体が流れていることを目視確認するのに有用である。流体の流動により回転体６が回転し、認識マーク１１の回転を目視することができ、複数色の認識マークにすることにより回転スピード（流体の流動量による）により目視する色が変色して流体の流動量が確認できる。以下に、本発明に係る流量インジケータを詳細に説明する。だだし、本発明に係る流量インジケータは、以下の説明に限定されるものでない。
【０００６】
外筒管７の形状、材料、サイズ、等を特に限定するものでない。形状においては、外形が円柱状、三角柱状、四角柱状、多角柱状、等であり、内形が円柱状であり、好ましくは、外形及び内形が共に円柱状であることである。材料は、回転体６が見られるように透明または半透明で有ればよく、例えば、ガラス、樹脂、等であり、好ましくは、透明または半透明な樹脂がよく、アクリル系の樹脂が特によい。該外筒管７の両端には、ワンタッチ継ぎ手機構１、１０が取り付けられていることである。該ワンタッチ継ぎ手機構は、通常に使用されているものでありここでの説明を省略する。
【０００７】
回転体６の材料、サイズ、等を特に限定するものでない。回転体６の形状においては、（図１を参照）、外形および内形が共に円柱状であり両端に回転軸板４、９を配置し、中程に回転羽根車５を単数又は複数個配置したもの、外形及び内形が共に円柱状であり片方の端に回転軸板及び他の片方に回転軸板と回転羽根車を兼ね備えた物（回転軸板に羽根車を備えたもの）を配置したもの、外形及び内形が共に円柱状であり両端に回転軸板と回転羽根車を兼ね備えた物を配置したものである。回転体６の他の形状においては、（図２を参照）、外形及び内形が円柱状であり外形面の表面及び／または内形面の表面に略螺旋状の突起６１、６２が形成され該回転体６の両端に回転軸板４、９を配置したものである。
【０００８】
回転体６の他の形状においては、（図３を参照）、円柱状であり、表面に略螺旋状の突起６４が形成され該回転体の両端に軸受け板及び軸受け２に対応する回転軸が形成されているものである。回転体６の他の形状においては、（図４を参照）、円柱状であり、表面に略螺旋状の突起６４が形成され該回転体の円柱状方向の中央部に中心軸棒１４が挿通されて回転可能な径の穴があいているものである。
【０００９】
円柱状の回転体６の表面には、認識マーク１１が形成されていて、該認識マーク１１が略螺旋状、円形、楕円形、多角形、その他多々の形、等で単色、複数色で形成されていることが好ましく、回転スピード（流体の流量）により色の変化が視覚される。より好ましくは、略螺旋状に該認識マーク１１を形成することである。
【００１０】
回転羽根車５は、（図７を参照）、回転体６の内面に取付、固着されるものであり、流体の流動により回転するための羽根５１、補強のリム５３、リング５２、等からなる。羽根の形状、数、等を限定するものでなく流体の流量により設計すればよい。回転軸板４、９は、（図６を参照）、回転体６の端面に固着されて回転の中心軸となるものであり軸受けに対応する軸９１，補強リム９３、リング９２、等からなる。軸受け板８は、外筒管７に固着され中央部に軸受け（窪みを有する好ましくは窪みにベアリングを有する）を有するものである。軸受け板１２は、（図５を参照）、外筒管７に固着され、リング、補強リム１３を有し、中央部に先端に窪みを有する軸受け２及び該軸受け２を固定するナット３を有するものである。または、軸受け板１２は、軸受け２の窪みにベアリングを取付けたものがより良い。軸受け板８および軸受け板１２に挟まれた回転体６の回転自在な自由度を軸受け２で調整し、ナット３で固定することにより流体の流動により該回転体６がスムーズに回転する。回転軸板に回転羽根車の羽根を付けることにより回転羽根車が不要となり好ましい。
【００１１】
実施形態である図１、図２、図３は、軸受け板８及び軸受け２を有する軸受け板１２により回転体６が回転するように支えられていて流体の流動により回転羽根車５または略螺旋状の突起により回転する。また、実施形態である図４は、回転体６の中心軸に穴が開けられていて中心軸棒１４が挿通され（好ましくは、該回転体６及び中心軸棒１４にベアリングを介在取り付け）ており流体の流動により略螺旋状の突起により（羽根車を付けても良い）回転する。
【００１２】
軸受け２及び軸受け板８の軸受け部分並びに回転軸板４、９の軸受けに対応する突起状の軸部分は、回転による摩耗があるため硬度の高い、耐摩耗性の良い、金属、ガラス、セラミックス、樹脂、結晶、等がよく、好ましくはベアリングを使用することである。
【００１３】
【発明の効果】
本発明に係る流量インジケータは、外筒管、該外筒管の内部に回転体及び該外筒管の両端にワンタッチ継ぎ手機構を有し、該回転体の表面に認識マークが形成されているために液体、気体などの流体が流動するときに該回転体が回転し、認識マークにて流体の流動・流量を目視確認できるものである。構造がシンプルであり、安価であり、天地・縦横の配置・向きを限定しない流量インジケータである。
【図面の簡単な説明】
【図１】本発明に係る流量インジケータの一実施態様を示す図である。
【図２】本発明に係る流量インジケータの一実施態様を示す図である。
【図３】本発明に係る流量インジケータの一実施態様を示す図である。
【図４】本発明に係る流量インジケータの一実施態様を示す図である。
【図５】本発明に係る流量インジケータの一実施例における軸受け板及び軸受けの例を示す図である。
【図６】本発明に係る流量インジケータの一実施例における回転軸板の例を示す図である。
【図７】本発明に係る流量インジケータの一実施例における回転羽根車の例を示す図である。
【符号の説明】
１  １０  ワンタッチ継ぎ手機構
２  軸受け
３  ナット
４  ９  回転軸板
５  回転羽根車
６  回転体
７  外筒管
８  １２  軸受け板
１１  認識マーク
１４  中心軸棒
【図１】
2004251793.tif 000003
【図２】
2004251793.tif 000004
【図３】
2004251793.tif 000005
【図４】
2004251793.tif 000006
【図５】
2004251793.tif 000007
【図６】
2004251793.tif 000008
【図７】
2004251793.tif 000009